(57)【要約】【課題】  併用される紙媒体早見本に未掲載の演奏曲に関する情報を好適に表示し得る電子早見本装置を提供する。【解決手段】  電子早見本装置２２と併用される紙媒体早見本２８を識別する識別手段１０８と、その識別手段１０８により識別された紙媒体早見本２８に未掲載且つカラオケ装置１６により演奏可能な演奏曲に関する情報をタッチパネルディスプレイ６８に表示させる表示手段１１０とを、有することから、前記紙媒体早見本２８に差分ページを貼り付ける煩雑さを解消できると共に、新しく登録された演奏曲に関する情報を即時的に参照できる。すなわち、併用される紙媒体早見本２８に未掲載の演奏曲に関する情報を好適に表示し得る電子早見本装置２２を提供することができる。【選択図】  図６
2007093815.tif 000002
【特許請求の範囲】
【請求項１】
多数の演奏曲のうちから選択される所定の演奏曲を出力させるカラオケ装置を遠隔操作するために、所定の映像を表示させると共に利用者の接触操作に応じて前記カラオケ装置への入力が可能なタッチパネルディスプレイを備えた電子早見本装置であって、
該電子早見本装置と併用される紙媒体早見本を識別する識別手段と、
該識別手段により識別された紙媒体早見本に未掲載且つ前記カラオケ装置により演奏可能な演奏曲に関する情報を前記タッチパネルディスプレイに表示させる表示手段と
を、有することを特徴とする電子早見本装置。
【請求項２】
前記識別手段により識別された紙媒体早見本に未掲載且つ前記カラオケ装置により演奏可能な演奏曲に関する情報を表示する第１の状態と、前記カラオケ装置により演奏可能な全ての演奏曲に関する情報を表示する第２の状態とを、切り替え得るものである請求項１の電子早見本装置。
【請求項３】
所定の撮像装置と、
該撮像装置により撮影された識別コードを解読する解読手段と
を有し、
前記識別手段は、前記撮像装置により撮影される前記紙媒体早見本に付された識別コードを前記解読手段により解読することで該紙媒体早見本を識別するものである請求項１又は２の電子早見本装置。
【請求項４】
前記識別手段は、前記電子早見本装置への操作により入力される情報に応じて前記紙媒体早見本を識別するものである請求項１又は２の電子早見本装置。
【発明の詳細な説明】
【技術分野】
【０００１】
本発明は、多数の演奏曲のうちから選択される所定の演奏曲を出力させるカラオケ装置を遠隔操作するための電子早見本装置の改良に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
斯かるカラオケ装置を遠隔操作するために、所定の映像を表示させると共に利用者の接触に応じてそのカラオケ装置への入力を行うタッチパネルディスプレイを備えた電子早見本装置が知られている。この電子早見本装置によれば、上記タッチパネルディスプレイに表示される映像を参照しつつ、利用者の指や備え付けのペン等によりそのタッチパネルディスプレイに接触（タッチ入力）することにより簡便に上記カラオケ装置への入力を行うことができる。この電子早見本装置が開発される以前において、前記カラオケ装置への選曲番号の入力等は、専ら所定の紙媒体早見本に記載された情報を参照しつつ、リモコン装置や操作パネル等の入力装置を用いてマニュアル入力により行われていた。また、上記電子早見本装置は所定のカラオケ装置に一対一に対応付（くくりつけ）られて用いられるのが一般的であり、例えばカラオケボックス等において１つのカラオケ装置により複数人の利用者がカラオケ演奏を楽しむ場合等には、上記電子早見本装置のみでは演奏曲探しが不便であるため、上記紙媒体早見本が併用されることが多い。
【０００４】
ところで、近年実用されているカラオケ装置は、公衆電話回線等を介して所定のカラオケサービス提供会社のサーバ（センタ装置）と接続されることで、そのサーバとの間で相互に情報の遣り取りが可能とされ、新曲のカラオケ情報等を適宜ダウンロードし得るように構成された通信カラオケ装置がほとんどであり、そのような通信カラオケ装置では、新しく上記サーバに登録（入曲）された演奏曲が随時演奏可能とされる。ここで、上記電子早見本装置は、無線ＬＡＮ等により電子的に情報を取得し得るものが一般的であり、そのように新しく登録された演奏曲に関する情報を取得することで即時的にその演奏曲を選曲可能な状態とされる一方、上記紙媒体早見本では、例えば特許文献１に記載された技術のように、新しく登録された演奏曲に対応する差分ページが月に１回乃至数回配布され、上記紙媒体早見本における所定箇所に貼り付けられるという形態が広くとられていた。
【０００５】
【特許文献１】特開２００２−６７５３４号公報
【０００６】
しかし、前記従来の技術のように、新しく登録された演奏曲に対応する差分ページを配布する形態では、その差分ページを紙媒体早見本に貼り付ける作業が煩雑であるという弊害があった。また、上記差分ページは月に１回乃至数回配布されるという性質上、貼り付けが遅れて新しい演奏曲が参照できなかったり、逆にまだ登録されていない演奏曲までも選曲候補として掲載する等の不具合があった。本発明者は、斯かる紙媒体早見本の問題を解決すべく鋭意考案を継続した一結果として、前記紙媒体早見本に未掲載の演奏曲に関する情報を前記電子早見本装置に補完的に表示させる技術を発案するに至った。
【発明の開示】
【発明が解決しようとする課題】
【０００７】
本発明は、以上の事情を背景として為されたものであり、その目的とするところは、併用される紙媒体早見本に未掲載の演奏曲に関する情報を好適に表示し得る電子早見本装置を提供することにある。
【課題を解決するための手段】
【０００８】
斯かる目的を達成するために、本発明の要旨とするところは、多数の演奏曲のうちから選択される所定の演奏曲を出力させるカラオケ装置を遠隔操作するために、所定の映像を表示させると共に利用者の接触操作に応じて前記カラオケ装置への入力が可能なタッチパネルディスプレイを備えた電子早見本装置であって、その電子早見本装置と併用される紙媒体早見本を識別する識別手段と、その識別手段により識別された紙媒体早見本に未掲載且つ前記カラオケ装置により演奏可能な演奏曲に関する情報を前記タッチパネルディスプレイに表示させる表示手段とを、有することを特徴とするものである。
【発明の効果】
【０００９】
このようにすれば、前記電子早見本装置と併用される紙媒体早見本を識別する識別手段と、その識別手段により識別された紙媒体早見本に未掲載且つ前記カラオケ装置により演奏可能な演奏曲に関する情報を前記タッチパネルディスプレイに表示させる表示手段とを、有することから、前記紙媒体早見本に差分ページを貼り付ける煩雑さを解消できると共に、新しく登録された演奏曲に関する情報を即時的に参照できる。すなわち、併用される紙媒体早見本に未掲載の演奏曲に関する情報を好適に表示し得る電子早見本装置を提供することができる。
【００１０】
また、好適には、前記識別手段により識別された紙媒体早見本に未掲載且つ前記カラオケ装置により演奏可能な演奏曲に関する情報を表示する第１の状態と、前記カラオケ装置により演奏可能な全ての演奏曲に関する情報を表示する第２の状態とを、切り替え得るものである。このようにすれば、併用される紙媒体早見本に未掲載の演奏曲に関する情報を利用者の所望に応じて適宜表示させられるという利点がある。
【００１１】
また、好適には、所定の撮像装置と、その撮像装置により撮影された識別コードを解読する解読手段とを有し、前記識別手段は、前記撮像装置により撮影される前記紙媒体早見本に付された識別コードを前記解読手段により解読することでその紙媒体早見本を識別するものである。このようにすれば、併用される紙媒体早見本を実用的な態様で識別できるという利点がある。
【００１２】
また、好適には、前記識別手段は、前記電子早見本装置への操作により入力される情報に応じて前記紙媒体早見本を識別するものである。このようにすれば、併用される紙媒体早見本を実用的な態様で識別できるという利点がある。
【００１３】
以下、本発明の好適な実施例を図面に基づいて詳細に説明する。
【実施例】
【００１４】
図１は、本発明が好適に適用されるカラオケシステム１０を説明する概略図である。この図１に示すように、上記カラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）のカラオケ装置１６ａ、１６ｂ、１６ｃ、・・・（以下、特に区別しない場合には単にカラオケ装置１６と称する）が設置されている。これら複数のカラオケ装置１６のうち、マスターコマンダである所定のカラオケ装置１６ａは、公衆電話回線等による通信回線１８を介してカラオケサービス提供会社のセンタ装置２０に接続されており、そのセンタ装置２０と上記カラオケ装置１６ａの相互間で情報の通信が可能とされている。このセンタ装置２０は、カラオケ情報、背景映像情報、曲間情報等のデジタルコンテンツ（Digital Contents）の保管や入出力管理の基本的な制御を行うサーバであり、上記通信回線１８を介してマスターコマンダであるカラオケ装置１６ａに定期的にコンテンツの配信を行うと共に、そのカラオケ装置１６ａからの要求に応じて所定のコンテンツや機能制御プログラム等を送信するものである。また、上記カラオケシステム１０は、本発明の一実施例である複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台ずつの電子早見本装置２２が貸与され、各個室１４において後述するように上記カラオケ装置１６の遠隔操作装置として用いられるようになっている。上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。また、上記各個室１４には１冊乃至数冊ずつの紙媒体早見本２８が常備されて（或いは貸与されるようになって）おり、後述する操作パネル４２やリモコン装置６４等を用いた選曲に用いられる。
【００１５】
図２は、上記カラオケ装置１６の構成を例示するブロック線図である。この図２に示すように、上記カラオケ装置１６は、ＣＲＴ（Cathode-ray Tube）等の映像表示装置３０と、映像情報デコーダ３２と、ビデオミキサ３４と、アンプミキサ３６と、スピーカ３８と、マイクロフォン４０と、操作パネル４２と、中央演算処理装置であるＣＰＵ４４と、ＲＯＭ４６と、ＲＡＭ４８と、記憶装置であるハードディスク５０と、モデム５２と、ＬＡＮポート５４と、ＣＲＴコントローラ５６と、上記操作パネル４２等からの入力信号を処理する入出力インターフェイス５８と、音源であるシンセサイザ６０と、上記電子早見本装置２２やリモコン装置６４等の入力装置からのリモコン信号を受信するためのリモコン受信部６２とを、備えて構成されている。
【００１６】
上記ＣＰＵ４４は、上記ＲＡＭ４８の一時記憶機能を利用しつつ上記ＲＯＭ４６に予め記憶された所定のプログラムに基づいて電子情報を処理・制御する所謂コンピュータであり、上記電子早見本装置２２やリモコン装置６４等により所定のカラオケ演奏曲が選曲された場合、その選曲されたカラオケ演奏曲を上記ＲＡＭ４８に設けられた予約曲リストに登録したり、その予約曲リストの演奏順に従って上記ハードディスク５０から上記ＲＡＭ４８に選曲されたカラオケ演奏曲の演奏情報及び歌詞情報等を読み出したり、カラオケ演奏曲の演奏が進行するのに応じてそのＲＡＭ４８から上記シンセサイザ６０へ演奏情報を送信したり、歌詞情報に基づいて歌詞文字映像を生成して上記ＣＲＴコントローラ５６へ送ったり、選曲時には曲名文字映像を生成して上記ＣＲＴコントローラ５６へ送ったり、上記映像情報デコーダ３２を制御して所定の背景映像を再生させたり、カラオケ演奏が行われていない間すなわち曲間において、新譜情報、選曲ランキング、店舗広告等の曲間情報を出力させたり、前記通信回線１８を介した前記センタ装置２０との間の情報通信制御等の基本的な制御を実行する。
【００１７】
前記操作パネル４２は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４２の一部機能を遠隔で実行するための入力装置として機能するリモコン装置６４が備えられており、前記リモコン受信部６２は、そのリモコン装置６４から送信されるリモコン信号を受信して前記ＣＰＵ４４へ供給する。また、前記カラオケ装置１６と電子早見本装置２２との対応付け（くくりつけ）処理も前記リモコン受信部６２を介して行われ、そのようにして前記カラオケ装置１６に対応付けられた電子早見本装置２２も同様に入力装置として機能する。
【００１８】
前記映像情報デコーダ３２は、利用者が歌詞を参照しながら歌を歌う際に前記ハードディスク５０に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ３２により再生された背景映像は、前記ビデオミキサへ送られる。また、前記ＣＲＴコントローラ５６は、前記ＣＰＵ４４において生成された歌詞文字映像等の文字映像（テロップ）を出力する文字映像出力装置であり、前記ビデオミキサ３４は、前記ＣＰＵ４４において生成され且つ前記ＣＲＴコントローラ５６から出力される文字映像と、前記映像情報デコーダ３２により再生される背景映像とを合成して前記映像表示装置３０に表示させる映像合成装置である。
【００１９】
前記シンセサイザ６０は、前記ハードディスク５０から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ６０により生成された音楽信号は、アナログ信号に変換されて前記アンプミキサ３６へ送られる。そのアンプミキサ３６では、送られてきた音楽信号と前記マイクロフォン４０を介して入力される利用者の歌声とがミキシングされ、それらの信号が電気的に増幅されて前記スピーカ３８から出力される。
【００２０】
前記モデム５２は、前記カラオケ装置１６を公衆電話回線等による通信回線１８に接続するための装置であり、前記ＣＰＵ４４から出力されるディジタル信号をアナログ信号に変換して前記通信回線１８に送り出すと共に、その通信回線１８を介して伝送されるアナログ信号をディジタル信号に変換して前記ＣＰＵ４４に供給する処理を行う。なお、このモデム５２は、マスターコマンダとして機能するカラオケ装置１６ａには必要とされるが、前記センタ装置２０との間で情報の通信を行わない他のカラオケ装置１６には必ずしも設けられなくともよい。
【００２１】
前記ＬＡＮポート５４は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６により受け付けられる前記電子早見本装置２２からの選曲入力を受け付けたり、前記カラオケ装置１６から電子早見本装置２２へ所定の情報を送信したりというように、電波を介して前記カラオケ装置１６と電子早見本装置２２との間における相互の情報のやりとりが実行される。
【００２２】
前記ハードディスク５０には、カラオケ演奏曲を出力させるための多数のカラオケ情報を記憶するカラオケデータベース、背景映像を出力させるための複数の背景映像情報を記憶する背景映像データベース、曲間情報を出力させるための複数の曲間情報を記憶する曲間情報データベース等の各種データベースが設けられている。カラオケボックス等の店舗にそれぞれ備えられた複数のカラオケ装置１６のうちマスターコマンダとして機能するカラオケ装置１６ａは、前記モデム５２を介して前記通信回線１８に接続されており、前記複数のカラオケ装置１６によって常に新しい曲が演奏可能とされるように、或いは所定の背景映像や曲間情報が出力可能とされるように、随時新たなカラオケ情報、背景映像情報、曲間情報等が前記センタ装置２０から前記通信回線１８を介して配信され、前記ハードディスク５０のカラオケデータベース、背景映像データベース、曲間情報データベース等に記憶される。また、そのようにして前記センタ装置２０から情報を取得したカラオケ装置１６ａとその他のカラオケ装置１６との間で前記ＬＡＮ２４を介した通信が行われることにより、各カラオケ装置１６のハードディスク５０に記憶される情報が共有され、カラオケデータベース、背景映像データベース、曲間情報データベース等の内容が等価なものとされる。
【００２３】
図３は、本発明の一実施例である電子早見本装置２２の外観を大まかに示す斜視図である。この図３に示すように、前記電子早見本装置２２は、前記通信カラオケ装置１６との間でデータの送受信や同期を実行したり、前記電子早見本装置２２に内蔵されたバッテリを充電する等の動作を行うスタンド型の接続架台（ドッキングテーブル）であるクレイドル６６を備えており、前記電子早見本装置２２は、そのクレイドル６６に取り付けられた状態又はそのクレイドル６６から取り外された状態で用いられる。すなわち、上記クレイドル６６に取り付けられた状態においては、そのクレイドル６６及びＬＡＮ２４を介して前記通信カラオケ装置１６に有線接続されるようになっており、上記クレイドル６６から取り外された状態においては、上記アクセスポイント２６及びＬＡＮ２４を介して前記通信カラオケ装置１６に無線接続されるようになっている。また、所定の画像（映像）を表示させると共に、利用者の接触に応じて入力を行うためのタッチパネルディスプレイ６８と、後述するＣＣＤカメラ９６により像を撮影するためのレンズを備えた撮像用窓７０とを、外観上備えている。
【００２４】
図４は、前記電子早見本装置２２の構成を説明するブロック線図である。この図４に示すように、前記電子早見本装置２２は、上記タッチパネルディスプレイ６８に所定の映像を表示させる表示装置７２と、その表示装置７２による表示を制御する表示制御部７４と、利用者の指や図示しない備え付けのペン等によるタッチパネルディスプレイ６８への接触により入力を行うタッチパネル７６と、そのタッチパネル７６による入力を制御する入力制御部７８と、中央演算処理装置であるＣＰＵ８０と、ＲＯＭ８２と、ＲＡＭ８４と、フラッシュＲＯＭ等の記憶部８６と、インターフェイス８８と、リモコン送信部９０と、無線ＬＡＮ通信部９２と、コネクタ９４と、撮像装置であるＣＣＤカメラ９６とを、備えて構成されている。上記クレイドル６６には、前記電子早見本装置２２と電気的な接続を可能とするためのコネクタ９８が設けられており、前記電子早見本装置２２は、前記クレイドル６６に載置されて上記コネクタ９４及び９８が接触させられることで、上記インターフェイス８８を介して前記クレイドル６６乃至はＬＡＮ２４に接続されるようになっている。
【００２５】
上記記憶部８６には、後述する図６に示すように、前記カラオケ装置１６のカラオケデータベースに記憶された多数のカラオケ情報それぞれに対応して曲名、歌手名（アーティスト名）、歌詞の歌い出し部分等の選曲案内情報を選曲番号毎に記憶する演奏曲データベース１００と、前記個室１４において併用される紙媒体早見本２８に関する情報を記憶する早見本テーブル１０２とが設けられている。この早見本テーブル１０２には、例えば、後述する識別手段１０８により識別される紙媒体早見本２８の早見本コードが記憶される。
【００２６】
上記ＣＰＵ８０は、上記ＲＡＭ８４の一時記憶機能を利用しつつ上記ＲＯＭ８２に予め記憶された所定のプログラムに基づいて電子情報を処理・制御する所謂コンピュータであり、上記記憶部８６から選曲案内情報を読み出し、上記表示装置７２を介してその選曲案内情報に基づく所定の案内映像を上記タッチパネルディスプレイ６８に表示させたり、そのタッチパネルディスプレイ６８に表示された案内映像に従って上記タッチパネル７６による入力が行われた場合、カラオケ演奏曲を予約するための選曲信号（選曲予約信号）を上記無線ＬＡＮ通信部９２等を介して前記通信カラオケ装置１６に送信する等の基本的な制御に加えて、後述する早見本識別制御及び演奏曲情報表示制御等を行う。また、上記ＣＣＤカメラ９６は、電荷結合素子（charge coupled device：ＣＣＤ）により像を撮影する撮像装置であり、上記タッチパネル７６による接触操作等に応じて前記撮像用窓７０を介して取り込まれる像を電子的に撮影する。
【００２７】
図５は、前記紙媒体早見本２８の外観を大まかに示す図である。この紙媒体早見本２８には、前記カラオケ装置１６により演奏し得る多数のカラオケ演奏曲について、その演奏曲の選曲番号、曲名、アーティスト名（歌手名）、及び歌い出しの歌詞等が相互に関連付けられて並記されており、前記カラオケ装置１６によるカラオケ演奏に際して、利用者は斯かる紙媒体早見本２８に記載された情報を参照しつつ、前記操作パネル４２やリモコン装置６４等の入力装置を用いてマニュアル入力（手入力）により所望の演奏曲の選曲番号を入力することができる。この紙媒体早見本２８は、種類やバージョン等を示す識別情報である早見本コードを有しており、前記紙媒体早見本２８に掲載されたカラオケ演奏曲（総曲数）はその早見本コードと一対一に対応している。この早見本コードは、例えば「７０４８」といった数桁の数字等である。また、好適には、図５に示すように、前記紙媒体早見本２８の表紙等にその早見本コードを示す識別コードとしての二次元コード１０４が印刷されている。
【００２８】
図６は、前記電子早見本装置２２のＣＰＵ８０に備えられた制御機能の要部を説明する機能ブロック線図である。この図６に示す解読手段１０６は、撮像装置である前記ＣＣＤカメラ９６により撮影された二次元コード１０４を解読する。具体的には、その二次元コード１０４に対応する紙媒体早見本２８の早見本コードを読み取る。
【００２９】
識別手段１０８は、前記電子早見本装置２２と併用される紙媒体早見本２８を識別する。好適には、前記ＣＣＤカメラ９６により撮影される前記紙媒体早見本２８に付された二次元コード１０４を上記解読手段１０６により解読して早見本コードを読み取ることでその紙媒体早見本２８の種類やバージョン等を識別する。また、好適には、前記タッチパネル７６への接触操作により前記入力制御部７８を介して入力（マニュアル入力）される早見本コード等の情報に応じて前記電子早見本装置２２と併用される紙媒体早見本２８の種類やバージョン等を識別する。この識別手段１０８による識別結果は、前記個室１４において前記電子早見本装置２２と併用される紙媒体早見本２６に関する情報として前記記憶部８６の早見本テーブル１０２に記憶される。
【００３０】
図７は、前記カラオケ装置１６により演奏可能な演奏曲として新たに登録（入曲）された演奏曲と、各バージョンの紙媒体早見本２８に掲載された演奏曲との対応関係を説明する図である。なお、この図７及び後述する図８に示す曲番は選曲番号に対応するものであり、本来は必ずしも連番ではなくそれぞれ個別に５桁程度の選曲番号とされるものであるが、説明の簡略化のために「１」から「３６」の連番を付している。この図７において曲番毎に示す号キーは前記カラオケ情報のヘッダ情報等に含まれる備考情報であり、並記される通知方法すなわちどのバージョンの紙媒体早見本２８に記載（掲載）されているかを示している。すなわち、号キーが「Ｖ１」である曲番「１」乃至「８」の演奏曲に関する情報は、バージョンＶ１以降の紙媒体早見本２８である早見本Ｖ１、Ｖ２、及びＶ３の何れにも記載されている。また、号キーが「Ｖ２ｂ」である曲番「９」乃至「１２」の演奏曲に関する情報は、バージョンＶ２以降の紙媒体早見本２８である早見本Ｖ２及びＶ３には記載されているが、早見本Ｖ１には記載されておらず、従来の技術では差分ページ（Ｖ１ペラ）に記載されてその差分ページが早見本Ｖ１に貼り付けられることによりその早見本Ｖ１にて参照可能とされる。また、号キーが「Ｖ２」である曲番「１３」乃至「２２」の演奏曲に関する情報は、バージョンＶ２以降の紙媒体早見本２８である早見本Ｖ２及びＶ３には記載されているが、早見本Ｖ１には記載されておらず、差分ページによっても補完されない。また、号キーが「Ｖ３ｂ」である曲番「２３」乃至「２５」の演奏曲に関する情報は、バージョンＶ３以降の紙媒体早見本２８である早見本Ｖ３には記載されているが、早見本Ｖ１及びＶ２には記載されておらず、従来の技術では差分ページ（Ｖ２ペラ）に記載されてその差分ページが早見本Ｖ２に貼り付けられることによりその早見本Ｖ２にて参照可能とされるが、早見本Ｖ１においてはその差分ページによっても補完されない。また、号キーが「Ｖ３」である曲番「２６」乃至「３１」の演奏曲に関する情報は、バージョンＶ３以降の紙媒体早見本２８である早見本Ｖ３には記載されているが、早見本Ｖ１及びＶ２には記載されておらず、差分ページによっても補完されない。また、号キーが「Ｖ４ｂ」である曲番「３２」乃至「３６」の演奏曲に関する情報は、バージョンＶ４以降の紙媒体早見本２８には記載されているが、早見本Ｖ１、Ｖ２、及びＶ３には記載されておらず、従来の技術では差分ページ（Ｖ３ペラ）に記載されてその差分ページが早見本Ｖ３に貼り付けられることによりその早見本Ｖ３にて参照可能とされるが、早見本Ｖ１及びＶ２においてはその差分ページによっても補完されない。ここで、曲番「３６」の演奏曲は、前記カラオケ装置１６により演奏可能な演奏曲として登録が予定された演奏曲であるが、配信開始時期に至っていないため未配信とされている演奏曲である。
【００３１】
図８は、図７に対応して前記電子早見本装置２２のタッチパネルディスプレイ６８に表示される演奏曲に関する情報を説明する図である。図６に示す表示手段１１０は、この図８に示すように、前記識別手段１０８により識別された紙媒体早見本２８に未掲載且つ前記カラオケ装置１６により演奏可能な演奏曲に関する情報を前記タッチパネルディスプレイ６８に表示させる。図８に示す例を用いて説明すると、前記識別手段１０８により識別された紙媒体早見本２８が上記早見本Ｖ１である場合には、図７に示す曲番「９」乃至「３５」の演奏曲に関する情報を、上記早見本Ｖ２である場合には、図７に示す曲番「２３」乃至「３５」の演奏曲に関する情報を、上記早見本Ｖ３である場合には、図７に示す曲番「３２」乃至「３５」の演奏曲に関する情報を、併用される紙媒体早見本２８に未掲載の演奏曲に関する情報としてそれぞれ表示させる。ここで、非表示Ａとされている演奏曲に関する情報は既に各紙媒体早見本２８に記載されているために表示させないのであり、非表示Ｂとされている曲番「３６」の演奏曲に関する情報は、配信開始時期に至っていないため未配信とされており、未だ前記カラオケ装置１６において演奏できないものであるため表示させない。上記表示手段１１０は、具体的には、前記早見本テーブル１０２に記憶された早見本コードを読み出し、ヘッダ情報の備考に示される号キーを参照してその早見本コードで示される紙媒体早見本２８には未掲載の演奏曲に関する情報を前記演奏曲データベース１００から抽出し、前記表示制御部７４を介して表示装置７２にタッチ入力による選曲可能に表示させる。これにより、前記カラオケ装置１６を用いたカラオケ演奏に際して、利用者は併用される紙媒体早見本２８に記載されていない演奏曲に関する情報を前記電子早見本装置２２により一覧でき、前記タッチパネル７６による接触入力によりそれら演奏曲を簡単に選曲することができる。
【００３２】
また、上記表示手段１１０は、好適には、前記識別手段１０８により識別された紙媒体早見本２８に未掲載且つ前記カラオケ装置１６により演奏可能な演奏曲に関する情報を表示する第１の状態と、前記カラオケ装置１６により演奏可能な全ての演奏曲に関する情報を表示する第２の状態とを、前記タッチパネル７６による接触操作に応じて切り替え得るものである。図９は、前記電子早見本装置２２のタッチパネルディスプレイ６８に表示されるトップ画面を例示する図である。前記電子早見本装置２２のトップ画面（トップメニュー）には、前記カラオケ装置１６により演奏可能な全ての演奏曲に関する情報を、利用者の指等による接触により前記タッチパネル７６を介して選択（検索）可能とする種々のボタンが表示される。また、図９に示すように、それらボタンの一つとして、併用される紙媒体早見本２８に未掲載且つ前記カラオケ装置１６により演奏可能な演奏曲に関する情報を表示するための早見本未掲載曲表示ボタン１１２が表示される。図９に示すトップ画面において、利用者の指等による接触により前記タッチパネル７６を介してその早見本未掲載曲表示ボタン１１２が選択されると、前記識別手段１０８により識別された紙媒体早見本２８の早見本コードが前記早見本テーブル１０２から読み出され、ヘッダ情報の備考に示される号キーを参照してその早見本コードで示される紙媒体早見本２８に未掲載の演奏曲に関する情報が前記演奏曲データベース１００から抽出される。そして、その早見本コードで示される紙媒体早見本２８に未掲載且つ前記カラオケ装置１６により演奏可能な演奏曲を示す複数の選曲ボタン１１４を、利用者の指等による接触により前記タッチパネル７６を介して選択可能に表示させる図１０に示すような早見本未掲載曲選曲画面が、前記表示制御部７４を介して表示装置７２に表示される。すなわち、斯かる例では、図９に示す早見本未掲載曲表示ボタン１１２が押された（選択された）場合には前記第１の状態とされ、押されない（選択されない）場合には前記第２の状態が維持される。
【００３３】
図１１は、前記電子早見本装置２２のＣＰＵ８０による早見本識別制御を説明するフローチャートであり、所定の周期で繰り返し実行されるものである。
【００３４】
先ず、ステップ（以下、ステップを省略する）ＳＡ１において、二次元コードによる紙媒体早見本２８の識別であるか否かが判断される。このＳＡ１の判断が否定される場合には、ＳＡ２において、前記電子早見本装置２２と併用される紙媒体早見本２８の早見本コードの入力（マニュアル入力）が前記タッチパネル７６への接触操作により前記入力制御部７８を介して受け付けられた後、ＳＡ５以下の処理が実行されるが、ＳＡ１の判断が肯定される場合には、ＳＡ３において、前記電子早見本装置２２と併用される紙媒体早見本２８に付された二次元コード１０４の映像が前記ＣＣＤカメラ９６により撮影される。次に、前記解読手段１０６の動作に対応するＳＡ４において、ＳＡ３にて撮影された二次元コード１０４が解読され、前記電子早見本装置２２と併用される紙媒体早見本２８の早見本コードが読み出される。次に、前記識別手段１０８の動作に対応するＳＡ５において、ＳＡ２にて入力された早見本コード又はＳＡ４にて解読された早見本コードに応じて前記電子早見本装置２２と併用される紙媒体早見本２８の種類やバージョン等が識別される。次に、ＳＡ６において、ＳＡ５の識別結果（或いは早見本コードそのもの）が前記記憶部８６の早見本テーブル１０２に記憶された後、本ルーチンが終了させられる。
【００３５】
図１２は、前記電子早見本装置２２のＣＰＵ８０による演奏曲情報表示制御を説明するフローチャートであり、所定の周期で繰り返し実行されるものである。
【００３６】
先ず、ＳＢ１において、図９に示すような前記電子早見本装置２２のタッチパネルディスプレイ６８に表示されるトップ画面において、利用者の指等による接触により前記タッチパネル７６を介して前記早見本未掲載曲表示ボタン１１２が選択された（押された）か否かが判断される。このＳＢ１の判断が否定される場合には、図９に示すようなトップ画面が継続表示させられ、前記カラオケ装置１６により演奏可能な全ての演奏曲に関する情報を検索可能に表示する状態が維持された後、本ルーチンが終了させられるが、ＳＢ１の判断が肯定される場合には、ＳＢ３において、前記早見本テーブル１０２から前記電子早見本装置２２と併用される紙媒体早見本２８の早見本コードが読み出され、ヘッダ情報の備考に示される号キーを参照してその早見本コードで示される紙媒体早見本２８には未掲載の演奏曲に関する情報が前記演奏曲データベース１００から抽出される。次に、ＳＢ４において、前記早見本テーブル１０２に記憶された早見本コードで示される紙媒体早見本２８に未掲載且つ前記カラオケ装置１６により演奏可能な演奏曲を示す複数の選曲ボタン１１４を、利用者の指等による接触により前記タッチパネル７６を介して選択可能に表示させる図１０に示すような早見本未掲載曲選曲画面が、前記表示制御部７４を介して表示装置７２に表示された後、本ルーチンが終了させられる。以上の制御において、ＳＢ１乃至ＳＢ４が前記表示手段１１０の動作に対応する。
【００３７】
このように、本実施例によれば、前記電子早見本装置２２と併用される紙媒体早見本２８を識別する識別手段１０８（ＳＡ５）と、その識別手段１０８により識別された紙媒体早見本２８に未掲載且つ前記カラオケ装置１６により演奏可能な演奏曲に関する情報を前記タッチパネルディスプレイ６８に表示させる表示手段１１０（ＳＢ１乃至ＳＢ４）とを、有することから、前記紙媒体早見本２８に差分ページを貼り付ける煩雑さを解消できると共に、新しく登録された演奏曲に関する情報を即時的に参照できる。すなわち、併用される紙媒体早見本２８に未掲載の演奏曲に関する情報を好適に表示し得る電子早見本装置２２を提供することができる。
【００３８】
また、前記電子早見本装置２２に表示される新しく登録された演奏曲に関する情報は毎日のように更新されるものであるため、利用者はその更新を日々目の当たりにすることで前記カラオケ装置１６により演奏可能な演奏曲の変化を楽しめるという利点がある。
【００３９】
また、前記識別手段１０８により識別された紙媒体早見本２８に未掲載且つ前記カラオケ装置１６により演奏可能な演奏曲に関する情報を表示する第１の状態と、前記カラオケ装置１６により演奏可能な全ての演奏曲に関する情報を表示する第２の状態とを、前記タッチパネル７６による接触操作に応じて切り替え得るものであるため、併用される紙媒体早見本２８に未掲載の演奏曲に関する情報を利用者の所望に応じて適宜表示させられるという利点がある。
【００４０】
また、電荷結合素子により像を撮影する撮像装置であるＣＣＤカメラ９６と、そのＣＣＤカメラ９６により撮影された二次元コード１０４を解読する解読手段１０６（ＳＡ４）とを有し、前記識別手段１０８は、前記ＣＣＤカメラ９６により撮影される前記紙媒体早見本２８に付された二次元コード１０４を前記解読手段１０６により解読することでその紙媒体早見本２８を識別するものであるため、併用される紙媒体早見本２８を実用的な態様で識別できるという利点がある。
【００４１】
また、前記識別手段１０８は、前記タッチパネルディスプレイ６８への接触操作により入力される情報に応じて前記紙媒体早見本２８を識別するものであるため、併用される紙媒体早見本２８を実用的な態様で識別できるという利点がある。
【００４２】
また、前記電子早見本装置２２により取得された情報をセンタ装置２０等へ送信し、そのセンタ装置２０において管理することにより、比較的古い紙媒体早見本２８を用いている店舗が割り出され、顧客サービスの向上（最新の紙媒体早見本２８を配布する店舗の特定）に繋がるという利点がある。従来、前記紙媒体早見本２８の切替（交換）時期は、新刊が届くまでの間は新譜の有無すらわからないおそれがあったが、本実施例の電子早見本装置２２により斯かる問題も解決される。
【００４３】
以上、本発明の好適な実施例を図面に基づいて詳細に説明したが、本発明はこれに限定されるものではなく、更に別の態様においても実施される。
【００４４】
例えば、前述の実施例において、前記カラオケ装置１６により演奏可能な全ての演奏曲に関する情報を表示する状態から、前記識別手段１０８により識別された紙媒体早見本２８に未掲載且つ前記カラオケ装置１６により演奏可能な演奏曲に関する情報を表示する状態へと切り換えるための早見本未掲載曲表示ボタン１１２は、前記電子早見本装置２２のトップ画面に表示されるものであったが、例えば、より下位のメニュー画面に表示させるものであってもよく、更には前記タッチパネルディスプレイ６８の所定箇所に常時表示させるものであってもよい。
【００４５】
また、前述の実施例において、前記電子早見本装置２２は、入力装置として前記タッチパネルディスプレイ６８（タッチパネル７６）のみを備えたものであったが、例えばスイッチや入力ボタンを有する簡易的な操作パネル等、前記タッチパネルディスプレイ６８以外の入力装置を備えた電子早見本装置にも本発明は好適に適用され得る。
【００４６】
また、本発明とは直接関係ないが、前述の実施例において説明した技術は、文房具や家具等のカタログの情報管理制御、判例集や特許公報のように元データが多く且つ過去データが不変で随時情報が追加されていくデータベースの管理制御、或いはスクラップブック等の管理制御にも応用され得るものである。
【００４７】
その他、一々例示はしないが、本発明はその趣旨を逸脱しない範囲内において種々の変更が加えられて実施されるものである。
【図面の簡単な説明】
【００４８】
【図１】本発明が好適に適用されるカラオケシステムを説明する概略図である。
【図２】図１のカラオケシステムに備えられたカラオケ装置の構成を例示するブロック線図である。
【図３】本発明の一実施例である電子早見本装置の外観を大まかに示す斜視図である。
【図４】図３の電子早見本装置の構成を説明するブロック線図である。
【図５】図３の電子早見本装置と併用される紙媒体早見本の外観を大まかに示す図である。
【図６】図３の電子早見本装置のＣＰＵに備えられた制御機能の要部を説明する機能ブロック線図である。
【図７】図２のカラオケ装置により演奏可能な演奏曲として新たに登録された演奏曲と、各バージョンの紙媒体早見本に掲載された演奏曲との対応関係を説明する図である。
【図８】図７に対応して図４の電子早見本装置のタッチパネルディスプレイに表示される演奏曲に関する情報を説明する図である。
【図９】図４の電子早見本装置のタッチパネルディスプレイに表示されるトップ画面を例示する図である。
【図１０】図４の電子早見本装置のタッチパネルディスプレイに表示される早見本未掲載曲選曲画面を例示する図である。
【図１１】図４の電子早見本装置のＣＰＵによる早見本識別制御を説明するフローチャートである。
【図１２】図４の電子早見本装置のＣＰＵによる演奏曲情報表示制御を説明するフローチャートである。
【符号の説明】
【００４９】
１６：カラオケ装置
２２：電子早見本装置
２８：紙媒体早見本
６８：タッチパネルディスプレイ
９６：ＣＣＤカメラ（撮像装置）
１０４：二次元コード
１０６：解読手段
１０８：識別手段
１１０：表示手段
【図１】
2007093815.tif 000003
【図２】
2007093815.tif 000004
【図３】
2007093815.tif 000005
【図４】
2007093815.tif 000006
【図５】
2007093815.tif 000007
【図６】
2007093815.tif 000008
【図７】
2007093815.tif 000009
【図８】
2007093815.tif 000010
【図９】
2007093815.tif 000011
【図１０】
2007093815.tif 000012
【図１１】
2007093815.tif 000013
【図１２】
2007093815.tif 000014